(57)【要約】【課題】比較的簡易な構成で直流電流を検出することができるようにしつつ、直流電圧発生回路の起動時における帯電電圧のオーバーシュートの発生を抑制できるようにすること。【解決手段】画像形成装置は、感光体と、感光体を帯電させる帯電ローラと、帯電ローラに印加される電圧として、直流電圧と交流電圧とが重畳された高電圧を発生させる高圧電源とを備え、高圧電源は、交流電圧を生成する交流電圧発生部と、直流電圧を生成する直流電圧発生部と、交流電圧発生部と直流電圧発生部との間に設けられたカップリングコンデンサと、直流電圧発生部によって生成される直流電圧を定電圧制御する制御部と、直流電圧発生部の出力電流を検出する電流検出部と、直流電圧発生部の起動時に、電流検出部を接地させる電流検出制御部とを備える。【選択図】図３
2020148908.tif 000002
【特許請求の範囲】
【請求項１】
感光体と、
前記感光体を帯電させる帯電ローラと、
前記帯電ローラに印加される電圧として、直流電圧と交流電圧とが重畳された高電圧を発生させる高圧電源と
を備え、
前記高圧電源は、
前記交流電圧を生成する交流電圧発生部と、
前記直流電圧を生成する直流電圧発生部と、
前記交流電圧発生部と前記直流電圧発生部との間に設けられたカップリングコンデンサと、
前記直流電圧発生部によって生成される前記直流電圧を定電圧制御する制御部と、
前記直流電圧発生部の出力電流を検出する電流検出部と、
前記直流電圧発生部の起動時に、前記電流検出部を接地させる電流検出制御部と
を備えることを特徴とする画像形成装置。
【請求項２】
前記電流検出制御部は、
前記直流電圧発生部が起動されてから、前記直流電圧発生部から出力される前記直流電圧が、目標電圧に基づく電圧閾値に達するまでの間、前記電流検出部を接地させる
ことを特徴とする請求項１に記載の画像形成装置。
【請求項３】
前記電流検出制御部は、
前記直流電圧発生部が起動されてからの経過時間が、所定の時間閾値に達するまでの間、前記電流検出部を接地させる
ことを特徴とする請求項１に記載の画像形成装置。
【請求項４】
前記直流電圧発生部は、
前記直流電圧を生成するためのトランスを駆動する駆動回路の周囲温度を検出する周囲温度検出部をさらに備え、
前記電流検出制御部は、
前記直流電圧発生部が起動されてからの経過時間が、前記周囲温度に対応する所定の時間閾値に達するまでの間、前記電流検出部を接地させる
ことを特徴とする請求項１に記載の画像形成装置。
【発明の詳細な説明】
【技術分野】
【０００１】
本発明は、画像形成装置に関する。
【背景技術】
【０００２】
下記特許文献１には、感光体を所望の電位に帯電することを目的として、直流電圧と交流電圧とが重畳された高電圧を、帯電ローラに印加することが可能な画像形成装置において、高電圧を帯電ローラに印加した際に流れる直流電流を検出する直流電流値検出回路を設ける構成が開示されている。
【発明の概要】
【発明が解決しようとする課題】
【０００３】
しかしながら、上記特許文献１の技術では、直流電圧と交流電圧とが重畳された高電圧から、直流電流を求める必要があるために、直流電流値検出回路を比較的複雑な構成とする必要がある。
【０００４】
そこで、例えば、直流電圧を生成する直流電圧発生回路に、直流電流検出部を設けることにより、比較的簡易な構成で、直流電流を検出することができると考えられる。しかしながら、この場合、直流電圧発生回路の起動時に、交流電圧発生回路が備えるカップリングコンデンサを充電する際に生じる突入電流の影響により、帯電ローラに印加される帯電電圧のオーバーシュートが発生し、異常画像が発生する虞がある。
【０００５】
本発明は、上述した従来技術の課題を解決するため、比較的簡易な構成で直流電流を検出することができるようにしつつ、直流電圧発生回路の起動時における帯電電圧のオーバーシュートの発生を抑制できるようにすることを目的とする。
【課題を解決するための手段】
【０００６】
上述した課題を解決するために、本発明の画像形成装置は、感光体と、感光体を帯電させる帯電ローラと、帯電ローラに印加される電圧として、直流電圧と交流電圧とが重畳された高電圧を発生させる高圧電源とを備え、高圧電源は、交流電圧を生成する交流電圧発生部と、直流電圧を生成する直流電圧発生部と、交流電圧発生部と直流電圧発生部との間に設けられたカップリングコンデンサと、直流電圧発生部によって生成される直流電圧を定電圧制御する制御部と、直流電圧発生部の出力電流を検出する電流検出部と、直流電圧発生部の起動時に、電流検出部を接地させる電流検出制御部とを備える。
【発明の効果】
【０００７】
本発明によれば、比較的簡易な構成で直流電流を検出することができるようにしつつ、直流電圧発生回路の起動時における帯電電圧のオーバーシュートの発生を抑制できる。
【図面の簡単な説明】
【０００８】
【図１】本発明の第１実施形態に係る画像形成装置の構成を示す図
【図２】従来の画像形成装置における帯電電圧および現像電圧の出力波形の一例を示す図
【図３】本発明の第１実施形態に係る高圧電源の回路構成を示す図
【図４】本発明の第１実施形態に係る制御部の機能構成を示す図
【図５】本発明の第１実施形態に係る制御部による定電圧制御処理の手順を示すフローチャート
【図６】本発明の第１実施形態に係る制御部による無効化制御処理の手順を示すフローチャート
【図７】本発明の第１実施形態に係る高圧電源における各種タイミングを示す図
【図８】本発明の第２実施形態に係る制御部の機能構成を示す図
【図９】本発明の第２実施形態に係る制御部による無効化制御処理の手順を示すフローチャート
【図１０】本発明の第３実施形態に係る高圧電源の回路構成を示す図
【図１１】本発明の第３実施形態に係る制御部の機能構成を示す図
【発明を実施するための形態】
【０００９】
〔第１実施形態〕
以下、図面を参照して、本発明の第１実施形態について説明する。
【００１０】
（画像形成装置１０の構成）
図１は、本発明の第１実施形態に係る画像形成装置１０の構成を示す図である。
【００１１】
図１に示すように、画像形成装置１０は、高圧電源１１、感光体１２、帯電ローラ１３、露光部１４、現像器１５、高圧電源１６、１次転写ローラ１７、高圧電源１８、中間ベルト１９、および除電器２０を備える。
【００１２】
高圧電源１１は、電圧を生成して、当該電圧を帯電ローラ１３に印加する。帯電ローラ１３は、感光体１２を一様に帯電させる。露光部１４は、一様に帯電された状態の感光体１２に対して、印刷データに応じた露光を行うことにより、感光体１２の表面に静電潜像を形成する。
【００１３】
現像器１５は、高圧電源１６から印加された電圧を用いて、感光体１２の表面に形成された静電潜像にトナーを付着させることにより、感光体１２の表面にトナー像を形成する。
【００１４】
感光体１２の表面に形成されたトナー像は、感光体１２と、高圧電源１８によって電圧が印加された１次転写ローラ１７との間において、中間ベルト１９上に転写される。これにより、中間ベルト１９上に、トナー画像が形成される。
【００１５】
中間ベルト１９に形成されたトナー像は、２次転写部（図示省略）によって記録紙に転写される。その後、記録紙は、定着装置（図示省略）によって熱および圧力が加えられることにより、トナー画像が定着される。
【００１６】
除電器２０は、感光体１２表面の電荷（本来の帯電極性の電荷）を除電する。なお、画像形成装置１０は、カラー印刷を行うことが可能である場合、複数の印刷色（例えば、４つの印刷色（Ｙ，Ｃ，Ｍ，Ｋ））の各々に対して、図１に示す構成を備える。これにより、画像形成装置１０は、中間ベルト１９上に対して、複数の印刷色の各々のトナー画像を形成することができる。
【００１７】
（従来の画像形成装置における帯電電圧および現像電圧の出力波形）
図２は、従来の画像形成装置における帯電電圧および現像電圧の出力波形の一例を示す図である。
【００１８】
画像形成装置において、感光体の表面電位は、帯電電圧と現像電圧との差分が電位として現れる。このため、画像形成装置は、図２（ａ）に示すように、帯電電圧と現像電圧が一定の電圧差を持ったまま起動することが好ましい。
【００１９】
しかしながら、従来の画像形成装置では、図２（ｂ）に示すように、直流電圧発生回路の起動時に、交流電圧発生回路が備えるカップリングコンデンサを充電する際に生じる突入電流の影響により、帯電電圧がオーバーシュートする場合があり、この場合、オーバーシュート部分で帯電電圧と現像電圧の差分が一定にならず、感光体の表面電位を一様に帯電することができなくなる虞がある。
【００２０】
（高圧電源１１の回路構成）
図３は、本発明の第１実施形態に係る高圧電源１１の回路構成を示す図である。図３に示すように、高圧電源１１は、ＡＣ発生回路６０およびＤＣ発生回路３０を備える。
【００２１】
ＡＣ発生回路６０は、駆動回路６１、トランス６２、制御部６３、およびカップリングコンデンサＣ１を備える。
【００２２】
駆動回路６１は、トランス６２の動作を制御する。トランス６２は、駆動回路６１の制御によって動作することにより、交流電圧を生成する。トランス６２の二次側コイルの一端は、抵抗Ｒ１を介して、負荷５０に接続されている。トランス６２の二次側コイルの他端は、ＤＣ発生回路３０（トランス３２の二次側コイルの一端）に接続されている。トランス６２によって生成された交流電圧は、ＤＣ発生回路３０によって生成された直流電圧が重畳されて、負荷５０へ印加される。
【００２３】
制御部６３は、トランス６２によって生成される交流電圧が、上位のコントローラ（図示省略）から入力されるＡＣ制御信号が示す目標電圧となるように、駆動回路６１へ駆動回路制御信号を供給して、トランス６２によって生成される交流電圧を制御する。
【００２４】
カップリングコンデンサＣ１は、トランス６２の二次側コイルとＤＣ発生回路３０との間に設けられている。カップリングコンデンサＣ１の一端は、トランス６２の二次側コイルの他端に接続されている。カップリングコンデンサＣ１の他端は、接地されている。カップリングコンデンサＣ１は、ＡＣ発生回路６０と負荷５０との間を流れる交流電流が、ＤＣ発生回路３０に流入することを防止する。
【００２５】
ＤＣ発生回路３０は、駆動回路３１、トランス３２、電流検出部３３、ＦＥＴ３４、および制御部４０を備える。
【００２６】
駆動回路３１は、トランス３２の動作を制御する。トランス３２は、駆動回路３１の制御によって動作することにより、入力電圧Ｖｉｎから、入力電圧Ｖｉｎよりも高電圧の直流電圧を生成する。トランス３２の二次側コイルの一端は、抵抗Ｒ２を介して、ＡＣ発生回路６０（トランス６２の二次側コイルの他端）に接続されている。トランス３２によって生成された直流電圧は、ＡＣ発生回路６０によって生成された交流電圧に重畳されて、負荷５０へ印加される。
【００２７】
制御部４０は、駆動回路３１へ駆動回路制御信号を供給することにより、トランス３２によって生成される直流電圧を制御する。例えば、制御部４０は、ＤＣ発生回路３０のａ点において検出されるＤＣ発生回路３０の出力電圧が、上位のコントローラから入力されるＤＣ制御信号が示す目標電圧よりも小さい場合、駆動回路３１の制御値を高める。反対に、制御部４０は、ＤＣ発生回路３０のａ点において検出されるＤＣ発生回路３０の出力電圧が、上位のコントローラ（図示省略）から入力されるＤＣ制御信号が示す目標電圧よりも大きい場合、駆動回路３１の制御値を低める。これにより、制御部４０は、ＤＣ発生回路３０の出力電圧が、ＤＣ制御信号が示す目標電圧となるように、定電圧制御する。
【００２８】
電流検出部３３は、ＤＣ発生回路３０のｂ点において、ＤＣ発生回路３０の出力電流を検出し、当該出力電流を示す電流検出信号を、上位のコントローラへ出力する。
【００２９】
ＦＥＴ３４は、電流検出部３３と並列接続されている。ＦＥＴ３４は、制御部４０から供給される電流検出制御信号に応じて、オン状態とオフ状態との間で切り替わる。ＦＥＴ３４は、オン状態において、電流検出部３３の一端側と他端側とを導通状態とすることにより、電流検出部３３を接地させる。これにより、電流検出部３３による電流検出動作が無効化される。ＦＥＴ３４は、オフ状態において、電流検出部３３の一端側と他端側とを非導通状態とする。これにより、電流検出部３３による電流検出動作が有効化される。
【００３０】
（制御部４０の機能構成）
図４は、本発明の第１実施形態に係る制御部４０の機能構成を示す図である。図４に示すように、制御部４０は、制御信号受信部４１、電圧検出信号受信部４２、出力演算部４３、駆動回路制御部４４、判断部４５、および電流検出制御部４６を備える。
【００３１】
制御信号受信部４１は、ＤＣ発生回路３０の出力電圧の目標電圧を示すＤＣ制御信号を、上位のコントローラから受信する。
【００３２】
電圧検出信号受信部４２は、ＤＣ発生回路３０のａ点（図３参照）において検出された、ＤＣ発生回路３０の出力電圧に応じた電圧検出信号を受信する。
【００３３】
出力演算部４３は、制御信号受信部４１によって受信されたＤＣ制御信号が示す目標電圧と、電圧検出信号受信部４２によって受信された電圧検出信号が示す出力電圧とに基づいて、ＤＣ発生回路３０の出力電圧が、ＤＣ制御信号が示す目標電圧となるように、駆動回路３１の制御値を算出する。
【００３４】
例えば、ＤＣ発生回路３０の出力電圧が目標電圧よりも小さい場合、出力演算部４３は、駆動回路３１の制御値を高める。反対に、ＤＣ発生回路３０の出力電圧が目標電圧よりも大きい場合、出力演算部４３は、駆動回路３１の制御値を低める。これにより、出力演算部４３は、ＤＣ発生回路３０の出力電圧が、ＤＣ制御信号が示す目標電圧となるように、定電圧制御する。
【００３５】
駆動回路制御部４４は、出力演算部４３によって算出された制御値を示す駆動回路制御信号を、駆動回路３１へ出力する。
【００３６】
判断部４５は、制御信号受信部４１によって受信されたＤＣ制御信号が示す目標電圧と、電圧検出信号受信部４２によって受信された電圧検出信号が示す出力電圧とに基づいて、電流検出部３３による検出動作を無効化するか否かを判断する。具体的には、判断部４５は、ＤＣ発生回路３０が起動されてから、ＤＣ発生回路３０の出力電圧が、目標電圧の所定割合（例えば、８０％）の電圧値（「目標電圧に基づく電圧閾値」の一例）に達するまで、「電流検出部３３による検出動作を無効化する」と判断する。そして、判断部４５は、ＤＣ発生回路３０の出力電圧が、目標電圧の所定割合の電圧値に達して以降、「電流検出部３３による検出動作を無効化しない」と判断する。なお、電圧閾値には、予めシミュレーションや実機試験等によって求めておいた、少なくともオーバーシュートを抑制するために十分な電圧値（例えば、少なくとも突入電流が解消するまでの電圧値）が設定される。
【００３７】
電流検出制御部４６は、判断部４５による判断結果に応じて、電流検出部３３による電流検出動作の無効化を制御する。
【００３８】
具体的には、電流検出制御部４６は、判断部４５によって「電流検出部３３による電流検出動作を無効化する」と判断された場合、ＦＥＴ３４をオンに切り替えるための電流検出制御信号を出力することにより、ＦＥＴ３４をオンに切り替える。これにより、電流検出部３３の検出地点ｂがＦＥＴ３４を介して接地され、よって、電流検出部３３による電流検出動作が無効化されることとなる。
【００３９】
一方、電流検出制御部４６は、判断部４５によって「電流検出部３３による電流検出動作を無効化しない」と判断された場合、ＦＥＴ３４をオフに切り替えるための電流検出制御信号を出力することにより、ＦＥＴ３４をオフに切り替える。これにより、電流検出部３３の検出地点ｂのＦＥＴ３４を介した接地が解除され、よって、電流検出部３３による電流検出動作の無効化が解除されることとなる。
【００４０】
（制御部４０による定電圧制御処理の手順）
図５は、本発明の第１実施形態に係る制御部４０による定電圧制御処理の手順を示すフローチャートである。
【００４１】
まず、制御信号受信部４１が、ＤＣ発生回路３０の出力電圧の目標電圧を示すＤＣ制御信号を、上位のコントローラから受信する（ステップＳ５０１）。次に、電圧検出信号受信部４２が、ＤＣ発生回路３０のａ点（図３参照）において検出された、ＤＣ発生回路３０の出力電圧を示す電圧検出信号を受信する（ステップＳ５０２）。
【００４２】
次に、出力演算部４３が、ステップＳ５０１で受信されたＤＣ制御信号と、ステップＳ５０２で受信された電圧検出信号とに基づいて、ＤＣ発生回路３０の出力電圧が目標電圧よりも低いか否を判断する（ステップＳ５０３）。
【００４３】
ステップＳ５０３において、「ＤＣ発生回路３０の出力電圧が目標電圧よりも低い」と判断された場合（ステップＳ５０３：ＹＥＳ）、出力演算部４３が、駆動回路３１に出力される駆動回路制御信号の制御値を高める（ステップＳ５０４）。そして、駆動回路制御部４４が、ステップＳ５０４で制御値が高められた駆動回路制御信号を、駆動回路３１へ出力する（ステップＳ５０５）。その後、制御部４０は、ステップＳ５０２へ処理を戻す。
【００４４】
一方、ステップＳ５０３において、「ＤＣ発生回路３０の出力電圧が目標電圧よりも低くない」と判断された場合（ステップＳ５０３：ＮＯ）、出力演算部４３が、ＤＣ発生回路３０の出力電圧が目標電圧よりも高いか否を判断する（ステップＳ５０６）。
【００４５】
ステップＳ５０６において、「ＤＣ発生回路３０の出力電圧が目標電圧よりも高い」と判断された場合（ステップＳ５０６：ＹＥＳ）、出力演算部４３が、駆動回路３１に出力される駆動回路制御信号の制御値を低める（ステップＳ５０７）。そして、駆動回路制御部４４が、ステップＳ５０７で制御値が低められた駆動回路制御信号を、駆動回路３１へ出力する（ステップＳ５０８）。その後、制御部４０は、ステップＳ５０２へ処理を戻す。
【００４６】
ステップＳ５０６において、「ＤＣ発生回路３０の出力電圧が目標電圧よりも高くない」と判断された場合（ステップＳ５０６：ＮＯ）、出力演算部４３が、駆動回路３１に出力される駆動回路制御信号の制御値を維持する（ステップＳ５０９）。そして、駆動回路制御部４４が、ステップＳ５０７で制御値が維持された駆動回路制御信号を、駆動回路３１へ出力する（ステップＳ５１０）。その後、制御部４０は、図５に示す一連の処理を終了する。
【００４７】
（制御部４０による無効化制御処理の手順）
図６は、本発明の第１実施形態に係る制御部４０による無効化制御処理の手順を示すフローチャートである。制御部４０は、ＤＣ発生回路３０が起動されると、図５に示す定電圧制御処理と並行して、図６に示す無効化制御処理を実行する。
【００４８】
まず、判断部４５が、ＤＣ発生回路３０の出力電圧が、目標電圧の８０％に達したか否かを判断する（ステップＳ６０１）。
【００４９】
ステップＳ６０１において、「ＤＣ発生回路３０の出力電圧が、目標電圧の８０％に達していない」と判断された場合（ステップＳ６０１：ＮＯ）、電流検出制御部４６が、ＦＥＴ３４をオンに切り替えるため（すなわち、電流検出を無効化するため）の電流検出制御信号を出力することにより、ＦＥＴ３４をオンに切り替える（ステップＳ６０２）。これにより、電流検出部３３の検出地点ｂがＦＥＴ３４を介して接地され、よって、電流検出部３３による電流検出動作が無効化されることとなる。その後、制御部４０は、ステップＳ６０１へ処理を戻す。
【００５０】
一方、ステップＳ６０１において、「ＤＣ発生回路３０の出力電圧が、目標電圧の８０％に達した」と判断された場合（ステップＳ６０１：ＹＥＳ）、電流検出制御部４６が、ＦＥＴ３４をオフに切り替えるため（すなわち、電流検出を有効化するため）の電流検出制御信号を出力することにより、ＦＥＴ３４をオフに切り替える（ステップＳ６０３）。これにより、電流検出部３３の検出地点ｂの接地が解除され、よって、電流検出部３３による電流検出動作が有効化されることとなる。
【００５１】
（高圧電源１１における各種タイミング）
図７は、本発明の第１実施形態に係る高圧電源１１における各種タイミングを示す図である。図７（ａ）は、比較例として用いた、従来の高圧電源（第１実施形態に係る高圧電源１１から、電流検出部３３を無効化する構成を取り除いたもの）における各種タイミングを示す。図７（ｂ）は、第１実施形態に係る高圧電源１１における各種タイミングを示す。
【００５２】
図７（ａ）に示すように、従来の高圧電源では、ＤＣ発生回路３０の起動時（ＤＣ制御信号が入力されたタイミングｔ１）に、ＡＣ発生回路６０が備えるカップリングコンデンサＣ１を充電する際に生じる突入電流の影響により、ＤＣ発生回路３０のａ点およびｂ点の各々において検出される電圧に、跳ね上がりが生じる（図中７０１および７０２参照）。その結果、図７（ａ）に示すように、帯電ローラ１３に印加される出力電圧にオーバーシュートが発生し（図中７０３参照）、図２（ｂ）に示したように、オーバーシュート部分で帯電電圧と現像電圧の差分が一定にならず、感光体の表面電位を一様に帯電することができなくなる虞がある。
【００５３】
一方、図７（ｂ）に示すように、第１実施形態に係る高圧電源１１では、ＤＣ発生回路３０の起動時（ＤＣ制御信号が入力されたタイミングｔ１）に、ＡＣ発生回路６０が備えるカップリングコンデンサＣ１を充電する際に生じる突入電流が生じるのは同様である。しかしながら、第１実施形態に係る高圧電源１１では、ＤＣ発生回路３０の起動時から突入電流が解消するまでの間（タイミングｔ１〜ｔ２）、電流検出制御部４６からＨｉレベルの電流検出制御信号がＦＥＴ３４に出力されることにより、電流検出部３３が接地された状態となる。このため、図７（ｂ）に示すように、ＤＣ発生回路３０のａ点およびｂ点の各々において検出される電圧に、跳ね上がりが生じない。したがって、第１実施形態に係る高圧電源１１では、図７（ｂ）に示すように、帯電ローラ１３に印加される出力電圧にオーバーシュートが発生しない。
【００５４】
〔第２実施形態〕
次に、図面を参照して、本発明の第２実施形態について説明する。以下、第２実施形態に係る高圧電源１１に関し、主に、第１実施形態に係る高圧電源１１からの変更点について説明する。
【００５５】
（制御部４０Ａの機能構成）
図８は、本発明の第２実施形態に係る制御部４０Ａの機能構成を示す図である。第２実施形態に係る高圧電源１１は、図４に示す制御部４０の代わりに、図８に示す制御部４０Ａを備える。図８に示すように、制御部４０Ａは、判断部４５の代わりに判断部４５Ａを備える点、および、記憶部４７をさらに備える点で、図４に示す制御部４０と異なる。
【００５６】
記憶部４７は、電流検出部３３による検出動作を無効化する期間を定める時間閾値を記憶する。時間閾値には、予めシミュレーションや実機試験等によって求めておいた、少なくともオーバーシュートを抑制するために十分な時間（例えば、少なくとも突入電流が解消するまでの時間）が設定される。
【００５７】
判断部４５Ａは、ＤＣ発生回路３０が起動されてからの経過時間が、記憶部４７に記憶されている時間閾値に達するまで、「電流検出部３３による検出動作を無効化する」と判断する。そして、判断部４５は、ＤＣ発生回路３０の出力電圧が、記憶部４７に記憶されている時間閾値に達して以降、「電流検出部３３による検出動作を無効化しない」と判断する。
【００５８】
（制御部４０Ａによる無効化制御処理の手順）
図９は、本発明の第２実施形態に係る制御部４０Ａによる無効化制御処理の手順を示すフローチャートである。制御部４０Ａは、ＤＣ発生回路３０が起動されると、図５に示す定電圧制御処理と並行して、図９に示す無効化制御処理を実行する。
【００５９】
まず、判断部４５Ａが、ＤＣ発生回路３０が起動されてからの経過時間が、記憶部４７に記憶されている時間閾値に達したか否かを判断する（ステップＳ９０１）。
【００６０】
ステップＳ９０１において、「ＤＣ発生回路３０が起動されてからの経過時間が、記憶部４７に記憶されている時間閾値に達していない」と判断された場合（ステップＳ９０１：ＮＯ）、電流検出制御部４６が、ＦＥＴ３４をオンに切り替えるため（すなわち、電流検出を無効化するため）の電流検出制御信号を出力することにより、ＦＥＴ３４をオンに切り替える（ステップＳ９０２）。これにより、電流検出部３３の検出地点ｂがＦＥＴ３４を介して接地され、よって、電流検出部３３による電流検出動作が無効化されることとなる。その後、制御部４０Ａは、ステップＳ９０１へ処理を戻す。
【００６１】
一方、ステップＳ９０１において、「ＤＣ発生回路３０が起動されてからの経過時間が、記憶部４７に記憶されている時間閾値に達した」と判断された場合（ステップＳ９０１：ＹＥＳ）、電流検出制御部４６が、ＦＥＴ３４をオフに切り替えるため（すなわち、電流検出を有効化するため）の電流検出制御信号を出力することにより、ＦＥＴ３４をオフに切り替える（ステップＳ９０３）。これにより、電流検出部３３の検出地点ｂの接地が解除され、よって、電流検出部３３による電流検出動作が有効化されることとなる。
【００６２】
第２実施形態に係る高圧電源１１によれば、電流検出部３３による検出動作を無効化する期間を予め定めているため、比較的簡単な構成で、電流検出部３３による検出動作を無効化する期間を制御することができる。
【００６３】
〔第３実施形態〕
次に、図面を参照して、本発明の第３実施形態について説明する。以下、第３実施形態に係る高圧電源１１に関し、主に、第２実施形態に係る高圧電源１１からの変更点について説明する。
【００６４】
（高圧電源１１の回路構成）
図１０は、本発明の第３実施形態に係る高圧電源１１の回路構成を示す図である。図１０に示すように、第３実施形態の高圧電源１１は、ＤＣ発生回路３０に周囲温度検出部３５がさらに設けられている点、および、制御部４０Ａの代わりに制御部４０Ｂを備える点で、第２実施形態の高圧電源１１と異なる。
【００６５】
周囲温度検出部３５は、駆動回路３１の周囲温度を検出して、当該温度を示す温度検出信号を出力する。周囲温度検出部３５としては、各種温度センサを用いることができる。
【００６６】
（制御部４０Ｂの機能構成）
図１１は、本発明の第３実施形態に係る制御部４０Ｂの機能構成を示す図である。図１１に示すように、制御部４０Ｂは、温度検出信号受信部４８をさらに備える点、記憶部４７の代わりに記憶部４７Ａを備える点、および、判断部４５Ａの代わりに判断部４５Ｂを備える点で、図８に示す制御部４０Ａと異なる。
【００６７】
温度検出信号受信部４８は、周囲温度検出部３５から出力された温度検出信号を受信する。
【００６８】
記憶部４７Ａは、電流検出部３３による検出動作を無効化する期間を定める時間閾値を、駆動回路３１の周囲温度毎に記憶する。時間閾値には、予めシミュレーションや実機試験等によって求めておいた、少なくともオーバーシュートを抑制するために十分な時間（例えば、少なくとも突入電流が解消するまでの時間）が設定される。
【００６９】
判断部４５Ｂは、ＤＣ発生回路３０が起動されてからの経過時間が、記憶部４７Ａに記憶されている、駆動回路３１の周囲温度に対応する時間閾値に達するまで、「電流検出部３３による検出動作を無効化する」と判断する。そして、判断部４５は、ＤＣ発生回路３０の出力電圧が、記憶部４７Ａに記憶されている、駆動回路３１の周囲温度に対応する時間閾値に達して以降、「電流検出部３３による検出動作を無効化しない」と判断する。
【００７０】
第３実施形態に係る高圧電源１１によれば、駆動回路３１のトランジスタの温度特性により起動時間にバラツキが生じる場合であっても、駆動回路３１の周囲温度に応じて、電流検出部３３による検出動作を無効化する期間を、適切に制御することができる。
【００７１】
以上説明したように、上記各実施形態に係る画像形成装置１０は、感光体１２と、感光体１２を帯電させる帯電ローラ１３と、帯電ローラ１３に印加される電圧として、直流電圧と交流電圧とが重畳された高電圧を発生させる高圧電源１１とを備え、高圧電源１１は、交流電圧を生成するＡＣ発生回路６０と、直流電圧を生成するＤＣ発生回路３０と、ＡＣ発生回路６０とＤＣ発生回路３０との間に設けられたカップリングコンデンサＣ１と、ＤＣ発生回路３０によって生成される直流電圧を定電圧制御する制御部４０，４０Ａと、ＤＣ発生回路３０の出力電流を検出する電流検出部３３と、ＤＣ発生回路３０の起動時に、電流検出部３３を接地させる電流検出制御部４６とを備える。
【００７２】
これにより、上記各実施形態に係る画像形成装置１０は、ＤＣ発生回路３０に電流検出部３３を設けたことにより、比較的簡易な構成で、直流電流を検出することができる。また、上記各実施形態に係る画像形成装置１０は、ＤＣ発生回路３０の起動時に電流検出部３３を接地させることにより、ＡＣ発生回路６０が備えるカップリングコンデンサＣ１を充電する際に生じる突入電流の影響により、帯電ローラ１３に印加される帯電電圧のオーバーシュートが発生してしまうことを抑制することができる。したがって、上記各実施形態に係る画像形成装置１０によれば、比較的簡易な構成で直流電流を検出することができるようにしつつ、直流電圧発生回路の起動時における帯電電圧のオーバーシュートの発生を抑制することができる。
【００７３】
以上、本発明の好ましい実施形態および実施例について詳述したが、本発明はこれらの実施形態および実施例に限定されるものではなく、特許請求の範囲に記載された本発明の要旨の範囲内において、種々の変形又は変更が可能である。
【符号の説明】
【００７４】
１０  画像形成装置
１１  高圧電源
１２  感光体
１３  帯電ローラ
１４  露光部
１５  現像器
１６  高圧電源
１７  １次転写ローラ
１８  高圧電源
１９  中間ベルト
２０  除電器
３０  ＤＣ発生回路（直流電圧発生部）
３１  駆動回路
３２  トランス
３３  電流検出部
３４  ＦＥＴ
４０，４０Ａ，４０Ｂ  制御部
４１  制御信号受信部
４２  電圧検出信号受信部
４３  出力演算部
４４  駆動回路制御部
４５，４５Ａ  判断部
４６  電流検出制御部
４７，４７Ａ  記憶部
４８  温度検出信号受信部
５０  負荷
６０  ＡＣ発生回路（交流電圧発生部）
６１  駆動回路
６２  トランス
６３  制御部
Ｃ１  カップリングコンデンサ
【先行技術文献】
【特許文献】
【００７５】
【特許文献１】特許第５５４６２６９号
【図１】
2020148908.tif 000003
【図２】
2020148908.tif 000004
【図３】
2020148908.tif 000005
【図４】
2020148908.tif 000006
【図５】
2020148908.tif 000007
【図６】
2020148908.tif 000008
【図７】
2020148908.tif 000009
【図８】
2020148908.tif 000010
【図９】
2020148908.tif 000011
【図１０】
2020148908.tif 000012
【図１１】
2020148908.tif 000013